(57)【特許請求の範囲】
【請求項１】
被測定者が乗るベースと、
前記ベースから上方に延びたコラムと、
前記コラムに支承される支承部と、前記被測定者の頭部に接触する接触部を含み前記支承部から延びた延出部とを有するカーソルと、
前記被測定者の身長を算出する算出手段と
を備えた身長計において、
前記カーソルは、前記支承部から延びる前記延出部の根元より前記接触部を上側に位置させることも、下側に位置させることもできるよう構成し、
前記接触部が前記支承部から延びる前記延出部の根元より上側に位置しているのか、又は、下側に位置しているのかを入力し、前記入力された結果を前記算出手段に出力する入力手段を備えたことを特徴とする身長計。
【請求項２】
被測定者が乗るベースと、
前記ベースから上方に延びたコラムと、
前記コラムに支承される支承部と、前記被測定者の頭部に接触する接触部を含み前記支承部から延びた延出部とを有するカーソルと、
前記被測定者の身長を算出する算出手段と
を備えた身長計において、
前記カーソルは、前記支承部から延びる前記延出部の根元より前記接触部を上側に位置させることも、下側に位置させることもできるよう構成し、
前記接触部が前記支承部から延びる前記延出部の根元より上側に位置しているのか、又は、下側に位置しているのかを検出し、前記検出した結果を前記算出手段に出力する検知手段を備えたことを特徴とする身長計。
【請求項３】
前記カーソルは、前記コラムに支承される前記支承部の取付方向を上下逆転させることで、前記支承部から延びる前記延出部の根元より前記接触部を上側に位置させることも、下側に位置させることもできるよう構成したことを特徴とする請求項１又は２に記載の身長計。 
【請求項４】
前記カーソルは、前記コラムに対して全体が上下方向に摺動可能に支承されていることを特徴とする請求項１乃至３のうちいずれか１項に記載の身長計。
【発明の詳細な説明】
【技術分野】
【０００１】
本発明は、カーソルがコラムに支承された身長計に関する。
【背景技術】
【０００２】
下記の特許文献１，２に示す身長計は、ベースから上方にコラムが延びており、コラムにはカーソルが上下方向に摺動自在に支承されている。身長は、ベースに乗った被測定者の頭部にカーソルを当てて計測される。
【先行技術文献】
【非特許文献】
【０００３】
【特許文献１】特開平６−７０９１３
【特許文献２】特開平６−１５４１９３
【発明の概要】
【発明が解決しようとする課題】
【０００４】
従来の身長計では、コラムに支承されたカーソルを被測定者の頭部に当てて計測が行われるので、高い身長を計測するにはその分長いコラムを用いる必要があった。また、コラムが複数段に構成されて伸縮する身長計では、カーソルがコラムの最上段に固定されていることから、最も縮んだコラムの高さよりも低い身長は計測できなかった。
【０００５】
本発明は斯かる課題に鑑みてなされたもので、上記課題を解決できる身長計を提供することを目的とする。
【課題を解決するための手段】
【０００６】
このような目的を達成するために、本発明の身長計は、被測定者が乗るベースと、前記ベースから上方に延びたコラムと、前記コラムに支承される支承部と、前記被測定者の頭部に接触する接触部を含み前記支承部から延びた延出部とを有するカーソルと、前記被測定者の身長を算出する算出手段とを備えた身長計において、前記カーソルは、前記支承部から延びる前記延出部の根元より前記接触部を上側に位置させることも、下側に位置させることもできるよう構成し、前記接触部が前記支承部から延びる前記延出部の根元より上側に位置しているのか、又は、下側に位置しているのかを入力し、前記入力された結果を前記算出手段に出力する入力手段を備えたことを特徴とする。
また、本発明は、被測定者が乗るベースと、前記ベースから上方に延びたコラムと、前記コラムに支承される支承部と、前記被測定者の頭部に接触する接触部を含み前記支承部から延びた延出部とを有するカーソルと、前記被測定者の身長を算出する算出手段とを備えた身長計において、前記カーソルは、前記支承部から延びる前記延出部の根元より前記接触部を上側に位置させることも、下側に位置させることもできるよう構成し、前記接触部が前記支承部から延びる前記延出部の根元より上側に位置しているのか、又は、下側に位置しているのかを検出し、前記検出した結果を前記算出手段に出力する検知手段を備えたことを特徴とする。
また、本発明は、前記カーソルは、前記コラムに支承される前記支承部の取付方向を上下逆転させることで、前記支承部から延びる前記延出部の根元より前記接触部を上側に位置させることも、下側に位置させることもできるよう構成したことを特徴とする。
また、本発明は、前記カーソルは、前記コラムに対して全体が上下方向に摺動可能に支承されていることを特徴とする。
【発明の効果】
【０００７】
本発明によれば、延出部の根元より上側及び下側の何れかに接触部を位置させてカーソルをコラムに支承させることで、身長の計測範囲を広げたり、変えたりできる。
【図面の簡単な説明】
【０００８】
【図１】本発明の一実施形態の身長計を示す模式図である。
【図２】図１のカーソルを拡大して示す模式図である。
【図３】図１のカーソルを拡大して示す模式図である。
【図４】カーソルを上下逆転させて取り付けた身長計をそれぞれ示す図である。
【図５】カーソルがコラムに摺動可能に支承された身長計を示す模式図である。
【図６】接触部が支承部に対して上下動するカーソルを示す図である。
【発明を実施するための形態】
【０００９】
以下、図面を参照して、本発明の一実施形態を説明する。
【００１０】
図１に示す身長計１は、被測定者が乗るベース２と、ベース２から上方に延びたコラム３と、コラム３に支承されるカーソル４と、被測定者の身長を計測する計測部５とを備えている。
【００１１】
コラム３は、１段３１〜３段３３までの３段に構成されており、モータの駆動で伸縮する。コラム３には、コラム３の伸縮位置を計測するためのセンサが備えられている。カーソル４は、コラム３の最上段となる１段３１の上端部に固定されている。カーソル４は、コラム３に支承される支承部４２と、支承部４２から延びた延出部４１と、延出部４１が測定者の頭部に接触したのを検知するためのセンサとを備えている。
【００１２】
延出部４１は、支承部４２から支承部４２の側方に向けて斜めに直線状に延びた傾斜部４１１と、傾斜部４１１の先端から水平方向に延びて被測定者の頭部に接触する接触部４１２とを備えている。カーソル４は、コラム３に対する支承部４２の取付方向を上下逆転させることで、図２に示すように接触部４１２を傾斜部４１１の根元よりも上側に位置させることも、図３に示すように下側に位置させることもできる。
【００１３】
コラム３には、図２，３に示すように、接触部４１２が傾斜部４１１の根元より上側及び下側の何れに位置しているかを検知する検知手段が設けられている。検知手段は、接触部４１２が傾斜部４１１の根元より下側に位置していることを検知する第１のスイッチ６２と、接触部４１２が傾斜部４１１の根元より上側に位置していることを検知する第２のスイッチ６４とから構成されている。
【００１４】
カーソル４には、第１の押圧部材６１及び第２の押圧部材６３が同じ高さ位置に設けられている。第１のスイッチ６２及び第２のスイッチ６４は、コラム３の互いに異なる高さの位置に設置されている。第１のスイッチ６２及び第２のスイッチ６４は、第１の押圧部材６１又は第２の押圧部材６３で押圧されると、計測部５に検知信号を出力する。
【００１５】
計測部５は、ボタン操作に応じた情報を入力する入力手段５２と、プログラムやデータを記憶した記憶手段５３と、記憶手段５３に記憶されたデータ及びプログラムに基づき処理を行う算出手段５１と、算出手段５１の算出結果に基づき上記モータの駆動制御を行う制御手段５４とを備えている。
【００１６】
算出手段５１は、カーソル４が備えるセンサからの入力信号で延出部４１の接触部４１２が測定者の頭部に接触したのを検知すると、コラム３が備えるセンサからの入力信号に基づいて、身長算出のためのコラム３の基準位置に対するコラム３の伸縮位置に応じた身長を算出する。算出手段５１では、検知信号の入力元が第１のスイッチ６２から第２のスイッチ６４に切り替わると、コラム３の伸縮位置が同じでも傾斜部４１１の根元からの接触部４１２の高さ×２だけ高い身長が算出されるようになる。また、算出手段５１では、検知信号の入力元が第２のスイッチ６４から第１のスイッチ６２に切り替わると、コラム３の伸縮位置が同じでも傾斜部４１１の根元からの接触部４１２の高さ×２だけ低い身長が算出されるようになる。
【００１７】
身長計１では、接触部４１２が傾斜部４１１の根元より上側に位置するようにカーソル４がコラム３に取り付けられると、第２の押圧部材６３が第２のスイッチ６４を押圧してその検知信号が計測部５の算出手段５２に入力される。算出手段５２では、第２のスイッチ６４から検知信号が入力されると、カーソル４が根元から水平に延びている従来の身長計と比べると、コラム３の伸縮位置が同じでも傾斜部４１１の根元からの接触部４１２の高さが減算された身長が算出される。この結果、身長計１では、図４（ａ）に示すように、コラム３が最も延びた状態でのベース２の上面からの支承部４２の高さＨ１に、傾斜部４１１の根元からの接触部４１２の高さＨ２が加算された高さまで身長を計測することができる。
【００１８】
また、接触部４１２が傾斜部４１１の根元より下側に位置するようにカーソル４がコラム３に取り付けられると、第１の押圧部材６１が第１のスイッチ６２を押圧してその検知信号が計測部５の算出手段５２に入力される。算出手段５２では、第１のスイッチ６２から検知信号が入力されると、カーソル４が根元から水平に延びている従来の身長計と比べると、コラム３の伸縮位置が同じでも傾斜部４１１の根元からの接触部４１２の高さが加算された身長が算出される。この結果、身長計１では、図４（ｂ）に示すように、コラム３が最も縮んだ状態でのベース２の上面からの支承部４２の高さＨ３に対して、傾斜部４１１の根元からの接触部４１２の高さＨ４が減算された高さから身長を計測することができる。
【００１９】
本実施形態によれば、カーソル４の接触部４１２を傾斜部４１１の根元より上側及び下側の何れにも位置させられる。このため、接触部４１２を傾斜部４１１の根元より上側に位置させるとカーソル４が根元から水平に延びている従来の身長計と比べて高い身長を計測し、接触部４１２を傾斜部４１１の根元より下側に位置させるとカーソル４が根元から水平に延びている従来の身長計と比べ低い身長を計測することが可能となる。従って、コラム３の高さを変えることなく従来の身長計と比べ身長の計測範囲を広げたり、変えたりできる。しかも、従来の身長計１に対し、身長算出のためのプログラム及びカーソル４を変更するという簡単な構成で、このような作用効果を得られる。
【００２０】
また、本実施形態によれば、接触部４１２が傾斜部４１１の根元より上側及び下側の何れに位置しているかが第１のスイッチ６２及び第２のスイッチ６４で検知され、計測部５の算出手段５１に検知結果が入力されるので、接触部４１２が傾斜部４１１の根元より上側又は下側に位置するようカーソル４を付け替えるだけで、身長の計測範囲を変えられる。
【００２１】
なお、上記実施形態では、接触部４１２が傾斜部４１１の根元より上側及び下側の何れに位置しているかを、検知手段が検知した場合について説明したが、計測部５に備えられたボタン等の操作で入力手段５２が入力するようにしてもよい。
【００２２】
また、上記実施形態では、カーソル４がコラム３の上端部に固定されてコラム３が伸縮する場合について説明したが、図５に示すカーソル４のように、コラム３に摺動可能に支承されている構成としてもよい。このカーソル４は、コラム３に支承された支承部４２がコラム３を上下方向に摺動する。この構成でも、傾斜部４１１の根元より上側又は下側に接触部４１２が位置するようにカーソル４をコラム３に取り付けることで、上記実施形態と同様の効果が得られる。なお、図５ではコラム３が１段で伸縮はしないが、コラム３が複数段で構成されて伸縮してもよい。
【００２３】
また、上記実施形態では、カーソル４が延出部４１と支承部４２とを備えており、延出部４１の接触部４１２が傾斜部４１１の付け根よりも上側及び下側の何れかに位置するよう、カーソル４の向きを選択してコラム３に取り付けた場合について説明した。しかしながら、カーソル４の接触部４１２を傾斜部４１１の根元より上側及び下側の何れにも位置させられるのであれば、上記実施形態での構成には限定されない。
【００２４】
例えば、図６に示すように、傾斜部４１１の根元に対する接触部４１２の上下位置を、支承部４２がコラム３に支承された状態で切り換えられるように構成してもよい。例えば、延出部４１を支承部４２に抜き差しされて傾斜部４１１の付け根に対する接触部４１２の上下位置が切り換えられても、延出部４１が支承部４２に対して回動して傾斜部４１１の付け根に対する接触部４１２の上下位置が切り換えられてもよい。
【００２５】
また、コラム３は３段に構成されている必要はなく、２段でも４段以上でもよい。また、上記実施形態では、計測部５が被測定者の身長を算出した場合について説明したが、コラム３に目盛りがついた身長計１にも本発明は適用できる。
【００２６】
また、上記実施形態では、カーソル４の延出部４１が支承部４２の側方に向けて斜めに直線状に延びた傾斜部４１１と、傾斜部４１１から水平に延びた接触部４１２とで構成されている場合について説明した。しかしながら、カーソルは、延出部４１の根元より上側又は下側に接触部４１２を位置させられればよく、支承部４２から支承部４２の側方に向けて斜めに直線状に延びた傾斜部４１１から接触部４１２が延びている必要はない。
【００２７】
また、上記実施形態では、第１のスイッチ６２及び第２のスイッチ６４がコラム３に備えられている場合について説明した。しかしながら、第１のスイッチ６２及び第２のスイッチ６４がカーソル４に備えられ、第１の押圧部材６１及び第２の押圧部材６３がコラム３に備えられていてもよい。また、第１のスイッチ６２及び第２のスイッチ６４の何れか一方がコラム３に備えられて対応する押圧部材６１，６３がカーソル４に備えられ、他方のスイッチ６２，６４がカーソル４に備えられて対応する押圧部材６１，６３がコラム３に備えられていてもよい。また、本発明は、体重計，体組成計，体脂肪計等と一体的に組み合わされた身長計にも適用することができる。
【符号の説明】
【００２８】
１      身長計
２      ベース
３      コラム
３１    １段
３２    ２段
３３    ３段
４      カーソル
４１    延出部
４１１  傾斜部
４１２  接触部
４２    支承部
５      計測部
５１    算出手段
５２    入力手段
５３    記憶手段
５４    制御手段
６１    第１の押圧部材
６２    第１のスイッチ
６３    第２の押圧部材
６４    第２のスイッチ
【図１】
0005825575.tif 000002
【図２】
0005825575.tif 000003
【図３】
0005825575.tif 000004
【図４】
0005825575.tif 000005
【図５】
0005825575.tif 000006
【図６】
0005825575.tif 000007